(57)【要約】      （修正有）【課題】表示装置の設定にて好適となる表示領域を変更した際に、映像信号出力装置に変更された表示領域に対してより適切な信号フォーマットを出力させる事の困難さを改善する表示装置を提供すること。【解決手段】表示装置１は、映像信号出力装置２が出力する映像信号を受け付ける映像入力手段６と、映像入力手段から入力された映像信号の解像度を変換する解像度変換手段７と、解像度変換手段に対し拡大または縮小した後の解像度の上限である表示領域を設定する表示領域設定手段８と、表示領域に関係するパラメータを含む表示能力を映像信号出力装置に通知できる表示能力通知手段５と、表示領域設定手段の表示領域と表示能力通知手段の表示能力を共に変更することができる変更手段９とを備えたことを特徴とする。【選択図】図１
2017174025.tif 000002
【特許請求の範囲】
【請求項１】
映像信号出力装置が出力する映像信号を受け付ける映像入力手段と、
前記映像入力手段から入力された映像信号の解像度を変換する解像度変換手段と、
前記解像度変換手段に対し拡大または縮小した後の解像度の上限である表示領域を設定する表示領域設定手段と、
前記表示領域に関係するパラメータを含む表示能力を前記映像信号出力装置に通知できる表示能力通知手段と、
前記表示領域設定手段の前記表示領域と、前記表示能力通知手段の前記表示能力を、相関を持たせて同時に変更することができる変更手段と
を備えたことを特徴とする表示装置。
【請求項２】
前記映像入力手段、前記解像度変換手段、前記表示領域設定手段、及び、前記表示能力通知手段を２系統以上備え、
各系統の前記表示領域設定手段が設定している各表示領域に従い各系統における前記解像度変換手段が出力する映像信号を１画面に合成する映像合成手段と、
前記変更手段が系統毎に前記表示領域設定手段の前記表示領域と、前記表示能力通知手段の前記表示能力を、相関を持たせて同時に変更することを特徴とする請求項１に記載の表示装置。
【請求項３】
前記表示能力通知手段とはＥＤＩＤであることを特徴とする請求項１又は請求項２に記載の表示装置。
【請求項４】
前記表示領域に関係するパラメータとは、Ｍａｘ．Ｉｍａｇｅ  ＳｉｚｅかＤｅｔａｉｌｅｄ  Ｔｉｍｉｎｇ  ＤｅｓｃｒｉｐｔｏｒのＡｃｔｉｖｅの少なくとも一方を変更することを特徴とする請求項３に記載の表示装置。
【発明の詳細な説明】
【技術分野】
【０００１】
本発明は、入力された映像信号を表示する表示装置に関し、特に、液晶プロジェクタ装置や、ＤＬＰ（Ｄｉｇｉｔａｌ  Ｌｉｇｈｔ  Ｐｒｏｃｅｓｓｉｎｇ）プロジェクタ装置等の投射型表示装置や液晶ディスプレイに関する。
【背景技術】
【０００２】
液晶プロジェクタ装置等の表示装置では、自身の物理的な表示画面サイズや入力信号として対応可能な信号フォーマットといった表示能力ともいうべきものが予め定められている。
【０００３】
ＰＣ等の映像信号出力装置は、表示装置に対し映像信号を出力する場合、上記の表示能力に応じた信号フォーマットで出力しなくてはならないため、映像信号出力装置は、表示装置から表示能力情報を入手する必要がある。その通信を規定した規格として、ＶＥＳＡ（Ｖｉｄｅｏ・Ｅｌｅｃｔｒｏｎｉｃ・Ｓｔａｎｄａｒｄ・Ａｓｓｏｃｉａｔｉｏｎ）によって勧告されたＤＤＣ（Ｄｉｓｐｌａｙ  Ｄａｔａ  Ｃｈａｎｎｅｌ）が知られている。この通信規格により通知されるデータ構造は、同じくＶＥＳＡによりＥＤＩＤ（Ｅｘｔｅｎｄｅｄ  Ｄｉｓｐｌａｙ  Ｉｄｅｎｔｉｆｉｃａｔｉｏｎ  Ｄａｔａ）として規定されている。ＥＤＩＤでは、上記の表示能力を含む、表示装置の属性情報が定義されている。多くの表示装置においてＥＤＩＤはＲＯＭとして存在しており、ＤＤＣにより映像信号出力装置が読み出す事が可能となっている。
【０００４】
映像信号出力装置から表示装置に伝送する信号フォーマットをどれにするのが最適であるかはユースケースに応じてほぼ定まる。例えば、映像信号出力装置において１０２４×７６８の解像度で作られた映像信号を、１０２４×７６８の画素を備えた液晶プロジェクタ装置で表示する場合は、伝送信号フォーマットも解像度が１０２４×７６８の信号フォーマットとするのが最適となる。
【０００５】
一方、最適な伝送フォーマットを定め難い例として、ノートＰＣと表示装置を接続する場合がある。多くのユーザーは、手元のノートＰＣの画面に表示されている映像と同等の映像が表示装置により表示される複製モードでの使用を好む。すなわち、ノートＰＣ自身の画面の解像度に合わせた信号フォーマットでの伝送が第一の候補となり、それが対応できない場合はアスペクト比が同じであったり解像度が近かったりと、なるべく見え方が近い信号フォーマットが次の候補となる。
【０００６】
以上の例から、表示能力としては、表示装置自身の解像度の信号フォーマットの他にも、できるだけ多くの解像度の信号フォーマットを対応フォーマットとして含む事で、より利便性を高めることができる。
【０００７】
しかしながら、ＥＤＩＤでは、伝達できる対応信号フォーマットの数が少なく、表示装置として対応できる信号フォーマットの一部しか伝達する事ができない。
【０００８】
この問題に対する一つの解決策として、特許文献１は、ＥＤＩＤで伝達する対応信号フォーマットを表示装置が対応できる対応信号フォーマットリストの中からユーザーが任意に選べるようにする技術を公開している。
【先行技術文献】
【特許文献】
【０００９】
【特許文献１】特開２００８−１０７６７５号公報
【発明の概要】
【発明が解決しようとする課題】
【００１０】
上記の従来技術は、ノートＰＣを複製モードで使用する場合といった映像信号出力装置の都合により定まる信号フォーマットへの対応力を向上させはするが、表示装置側の使用状況の変更により伝送フォーマットを変更させたい場合の考慮がされていない。例えば、液晶プロジェクタ装置において、液晶プロジェクタ装置の出力画像のアスペクト比とスクリーンのアスペクト比が一致していない場合がそれにあたる。この場合、液晶プロジェクタ装置の出力画像がスクリーン全体を含むようにズーム比を調整し、スクリーンに投射されている部分にのみ有効な映像が表示させるのが好ましいが、映像信号出力装置にそれに好適な信号フォーマットを出力させるのは困難であった。
【００１１】
また、液晶プロジェクタ装置の出力画像のアスペクト比とスクリーンのアスペクト比が一致している場合においても、例えば２つの映像出力装置からの入力映像信号に対し表示領域を２分割して表示する場合もそれにあたる。この場合は、それぞれの分割表示領域全体に有効な映像を表示させるのが好ましいが、この場合においても映像信号出力装置にそれに好適な信号フォーマットを出力させるのは困難であった。多くの場合、上下、又は、左右に映像を表示させないブランク領域が付加されてしまっていた。
【００１２】
そこで、本発明の目的は、表示装置の設定にて好適となる表示領域を変更した際に、映像信号出力装置に変更された表示領域に対してより適切な信号フォーマットを出力させることの困難さを改善する表示装置を提供することにある。
【課題を解決するための手段】
【００１３】
上記の目的を達成するために、本発明に係る表示装置は、
映像信号出力装置が出力する映像信号を受け付ける映像入力手段と、前記映像入力手段から入力された映像信号の解像度を変換する解像度変換手段と、前記解像度変換手段に対し拡大または縮小した後の解像度の上限である表示領域を設定する表示領域設定手段と、前記表示領域に関係するパラメータを含む表示能力を前記映像信号出力装置に通知できる表示能力通知手段と、前記表示領域設定手段の前記表示領域と前記表示能力通知手段の前記表示能力を共に変更することができる変更手段とを備えたことを特徴とする。
【発明の効果】
【００１４】
本発明に係る表示装置によれば、表示装置の設定にて好適となる表示領域を変更した際に、映像信号出力装置に変更された表示領域に対してより適切な信号フォーマットを出力させることの困難さを改善することができる。
【図面の簡単な説明】
【００１５】
【図１】本発明の第１の実施形態における液晶プロジェクタ装置１のブロック構成図
【図２】本発明の第１の実施形態におけるＥＤＩＤ部５に設定するパラメータ例
【図３】本発明の第１の実施形態において表示領域設定部８に設定するパラメータ例
【図４】本発明の第２の実施形態における液晶プロジェクタ装置１１のブロック構成図
【図５】本発明の第２の実施形態におけるＥＤＩＤ部Ａ１０５及びＥＤＩＤ部Ｂ２０５に設定するパラメータ例
【図６】本発明の第２の実施形態において表示領域設定部Ａ１０８及び表示領域設定部Ｂ２０８に設定するパラメータ例
【発明を実施するための形態】
【００１６】
以下に、本発明の好ましい実施の形態を、添付の図面に基づいて詳細に説明する。
【実施例１】
【００１７】
以下、図１〜図３を参照して、本発明の第１の実施例による、表示装置について説明する。
【００１８】
図１は本発明の実施形態にかかわる表示装置としての液晶プロジェクタ装置１のブロック構成図である。
【００１９】
液晶プロジェクタ装置１は、映像信号出力装置としてのＰＣ２と接続されており、入力された映像信号を光映像に変換して、スクリーン３に投射している。
【００２０】
液晶プロジェクタ装置１は、入力端子４、ＥＤＩＤ部５、入力信号処理部６、解像度変換部７、表示領域設定部８、表示領域変更部９、表示部１０を有する。説明を分かりやすくするため、液晶プロジェクタ装置１は、最大で、水平解像度１９２０画素、垂直解像度１０８０画素の表示を行うとする。
【００２１】
入力端子４は、映像入力手段及び表示能力通知手段の一部として動作し、映像信号ラインとＤＤＣラインを含んでおり、ＰＣ２と接続される。入力端子としては、Ｄ−Ｓｕｂ１５ピン、ＤＶＩ、ＨＤＭＩ（登録商標）、ＤｉｓｐｌａｙＰｏｒｔ等が適切である。
【００２２】
ＥＤＩＤ部５は、不揮発性メモリであって液晶プロジェクタ装置１の表示能力が記憶されており、入力端子４と共同で表示能力通知手段として動作する。表示能力はＰＣ２からＤＤＣにより読み取り可能である。また、ＥＤＩＤ部５は、後述の表示領域変更部９により、書き換え可能である。表示能力の各パラメータのうち、本発明に関連するものは、水平垂直の表示サイズと、プライマリ指定されている詳細タイミングデータである。それぞれの値をどのように変更するかは後述する。
【００２３】
入力信号処理部６は、入力端子４と共同で映像入力手段として動作し、ＰＣ２が出力した映像信号を液晶プロジェクタ装置１内部の信号形式に変換する。
【００２４】
解像度変換部７は、解像度変換手段として動作し、入力信号処理部６から入力された映像信号に対し、後述する表示領域設定部８に設定してある表示領域内に納まるように、拡大または縮小処理を行う。ここでいう表示領域とは、後述する表示部１０で表示可能な全領域のうち、実際に表示を許可する領域の事を指す。本実施例では、解像度変換部７は、アスペクト比を保ったまま最大まで拡大するものとする。
【００２５】
表示領域設定部８は、表示領域設定手段として動作し、解像度変換部７での拡大または縮小後の表示領域の指定を行う。表示領域の指定は、水平オフセット、垂直オフセット、水平解像度、垂直解像度の４つのパラメータにて行う。
【００２６】
表示領域変更部９は、変更手段として動作し、ユーザーから不図示のボタン等の操作に応じ、表示領域を変更する必要があった場合、ＥＤＩＤ部５及び表示領域設定部８に対し変更後の値を出力する。本実施例では、上記の表示領域の変更パターンとして、１６：９モードと４：３モードが存在するものとする。それぞれのモードにおいてどのようにＥＤＩＤ部５及び表示領域設定部８の変更を実施するかについては後述する。
【００２７】
表示部１０は、既定の解像度にて構成されたドットマトリックスにて、入力されたデジタル映像信号を光映像に変換してスクリーン３に投射する。本実施例での表示部１０の解像度は、先に述べた液晶プロジェクタ装置１の解像度（水平１９２０画素、垂直１０８０画素）と同一であるとする。
【００２８】
表示領域変更部９における２つのモード、１６：９モードと４：３モードについて図２と図３を参照して説明する。本モードは、スクリーン３のアスペクト比が１６：９であっても、４：３であっても、スクリーン３一杯に有効な映像を無用な解像度変換を適用せずに表示できるようにすることを狙ったものである。
【００２９】
図２はＥＤＩＤ部５に設定するパラメータ表であり、図３は表示領域設定部８に設定するパラメータ表である。
【００３０】
まず、１６：９モードから説明する。１６：９モードでは、表示部１０の全領域である水平１９２０画素、垂直１０８０画素全てを有効領域として使用する。表示領域設定部８へは、図３に示すように、水平オフセットと垂直オフセットは共に０を指定し、水平解像度と垂直解像度はそれぞれ１９２０画素と１０８０画素を指定する。また、ＥＤＩＤ部５へは、図２に示すように、Ｍａｘ．Ｉｍａｇｅ  Ｓｉｚｅに１６：９となる適切なサイズを、Ｄｅｔａｉｌｅｄ  Ｔｉｍｉｎｇ  Ｄｅｓｃｒｉｐｔｏｒには存在すれば表示領域設定部８に指定した解像度の公式信号フォーマットを指定する。公式信号フォーマットとしては、ＶＥＳＡのＤＭＴ（Ｄｉｓｐｌａｙ  Ｍｏｎｉｔｏｒ  Ｔｉｍｉｎｇ）規格のものがよく知られている。水平１９２０画素、垂直１０８０画素の信号フォーマットは、ＶＥＳＡのＤＭＴにて規定されており、図３の１６：９モードの欄に記載しているパラメータはそれを参照したものである。
【００３１】
次に、４：３モードの方を説明する。４：３モードでは、表示部１０の全領域に対し４：３として最大の領域となる、水平１４４０画素、垂直１０８０画素を有効領域として使用する。表示領域設定部８へは、図３に示すように、水平オフセットと垂直オフセットはそれぞれ２４０画素と０画素を指定し、水平解像度と垂直解像度はそれぞれ１４４０画素と１０８０画素を指定する。また、ＥＤＩＤ部５へは、図２に示すように、Ｍａｘ．Ｉｍａｇｅ  Ｓｉｚｅに４：３となる適切なサイズを、Ｄｅｔａｉｌｅｄ  Ｔｉｍｉｎｇ  Ｄｅｓｃｒｉｐｔｏｒには存在すれば表示領域設定部８に指定した解像度の公式信号フォーマットを指定する。
【００３２】
水平１４４０画素、垂直１０８０画素の信号フォーマットは、ＶＥＳＡのＤＭＴには規定されていないため、本実施例では、別の公式信号フォーマットを元に作成している。好ましい例としては、図３の４：３モードの欄に記載しているパラメータがそうであるが、表示部１０の解像度の公式信号フォーマットの有効領域、ブランク領域、イメージサイズ、同期信号極性を加工したものが好適である。すなわち、Ｈｏｒｉｚｏｎｔａｌ  ＡｃｔｉｖｅとＨｏｒｉｚｏｎｔａｌ  Ｂｌａｎｋｉｎｇは合計値が変化しないようにし、Ｈｏｒｉｚｏｎｔａｌ  Ｓｙｎｃ．  Ｏｆｆｓｅｔはブランク領域の増加分の半分をプラスした値を設定している。さらに、Ｈｏｒｉｚｏｎｔａｌ  Ｉｍａｇｅ  Ｓｉｚｅも４：３となるように設定し、Ｈｏｒｉｚｏｎｔａｌ  Ｐｏｌａｒｉｔｙも極性を反転している。
【００３３】
こうすることにより、ＰＣ２において、読み取ったＥＤＩＤの信号フォーマットが公式信号フォーマットに近似しているため、その信号フォーマットで出力できる可能性が高くなることが期待される。また、同期信号極性を変更している理由は、入力端子４がＤ−Ｓｕｂ１５ピンであった場合を考慮しており、アナログ映像信号の伝送では元の公式フォーマットとの識別が困難になってしまうのを避けるためである。
【００３４】
従って、入力端子４がＨＤＭＩやＤｉｓｐｌａｙＰｏｒｔといったデジタル映像信号に対応するものであった場合は、元の公式フォーマットとの識別は容易に行えるので、特に同期信号極性を変更する必要性はない。
【００３５】
以上説明してきたように、本実施形態における液晶プロジェクタ装置１は、表示領域変更部９におけるモード変更の際に、表示領域設定部８の解像度変更とそれに合わせたＥＤＩＤ５部のパラメータ変更も行っている。その結果、ＰＣ２は、表示領域設定部８にて指定されている解像度を、ＥＤＩＤ部５からＤＤＣにより取得することができる。この事は、ＰＣ２がＥＤＩＤで示されている信号フォーマットに応じた映像出力を容易に行えることが条件でなる事を示しているが、最近では表示装置の解像度が多様化しているため、例え広く知られたフォーマットでなくとも前記条件を満たすＰＣは増えている。
【００３６】
以上の事から、ユーザーにとっては、スクリーン３一杯に有効な映像を無用な解像度変換を適用させることなく表示させることの困難性は一部改善された事となる。
【００３７】
本実施例の表示装置は、液晶プロジェクタ装置１としたが、ＤＬＰ（Ｄｉｇｉｔａｌ  Ｌｉｇｈｔ  Ｐｒｏｃｅｓｓｉｎｇ）プロジェクタや液晶ディスプレイ装置でもよい。
【００３８】
本実施例では、表示部７の解像度を、水平１９２０画素、垂直１０８０画素としたが、それに制限されるものではない。
【実施例２】
【００３９】
以下、図４〜図６を参照して、本発明の第２の実施例による、表示装置について説明する。
【００４０】
図４は本発明の実施形態にかかわる表示装置としての液晶プロジェクタ装置１１のブロック構成図である。
【００４１】
液晶プロジェクタ装置１１は、映像信号出力装置としての２台のＰＣ、ＰＣＡ１２とＰＣＢ２２と接続されており、入力された２系統の映像信号を選択的に、もしくは、合成して同時に光映像に変換して、スクリーン３に投射する。
【００４２】
液晶プロジェクタ装置１１は、信号処理系統Ａ１００、信号処理系統Ｂ２００、表示領域変更部１９、表示部２０を有する。説明を分かりやすくするため、液晶プロジェクタ装置１１は、実施例１同様に、最大で、水平解像度１９２０画素、垂直解像度１０８０画素の表示を行うとする。液晶プロジェクタ装置１１は、ＰＣＡ１２の映像信号を単一で表示するＡ表示モードと、ＰＣＢ２２の映像信号を単一で表示するＢ表示モードと、ＰＣＡ１２及びＰＣＢ２２の映像信号を水平方向に２分割して表示する分割表示モードを有する。
【００４３】
信号処理系統Ａ１００は、入力端子Ａ１０４、ＥＤＩＤ部Ａ１０５、入力信号処理部Ａ１０６、解像度変換部Ａ１０７、表示領域設定部Ａ１０８を有する。
【００４４】
信号処理系統Ｂ２００は、入力端子Ｂ２０４、ＥＤＩＤ部Ｂ２０５、入力信号処理部Ｂ２０６、解像度変換部Ｂ２０７、表示領域設定部Ｂ２０８を有する。
【００４５】
信号処理系統Ａ１００及び信号処理系統Ｂ２００における解像度変換部Ａ１０７及び解像度変換部Ｂ２０７以外の各部は、実施例１における入力端子４、ＥＤＩＤ部５、入力信号処理部６、表示領域設定部８と同等であり説明は省略する。
【００４６】
解像度変換部Ａ１０７は、概ね実施例１の解像度変換部７と同等ではあるが、表示部２０に対し有効映像領域を出力する点で異なる。
【００４７】
表示領域変更部１９は、変更手段として動作し、ユーザーから不図示のボタン等で設定される表示モードに応じて、ＥＤＩＤ部Ａ１０５、ＥＤＩＤ部Ｂ２０５、及び、表示領域部Ａ１０８、表示領域部Ｂ２０８に対し変更後の値を出力する。本実施例では、上記の表示モードとして、前述したＡ表示モード、Ｂ表示モード、分割表示モードが存在するものとする。それぞれのモードにおいてどのように各部の変更を実施するかについては後述する。
【００４８】
表示部２０は、映像合成手段として動作し、既定の解像度で構成されたドットマトリックスにて、解像度変換部Ａ１０８及び解像度変換部Ｂ２０８から入力されたデジタル映像信号を光映像に変換してスクリーン３に投射する。本実施例での表示部１０の解像度は、先に述べた液晶プロジェクタ装置１１の解像度（水平１９２０画素、垂直１０８０画素）と同一であるとする。表示部２０は、前述した分割モードで表示する場合、解像度変換部Ａ１０７及び解像度変換部Ｂ２０７から出力されている有効映像領域に従い、それぞれの領域の対応する画素に映像を表示する。
【００４９】
表示領域変更部１９における３つのモード、Ａ表示モード、Ｂ表示モード、分割表示モードについて図５と図６を参照して説明する。図５は、ＥＤＩＤ部Ａ１０５及びＥＤＩＤ部Ｂ２０５に設定するパラメータ表であり、図６は、表示領域設定部Ａ１０８及び表示領域設定部Ｂ２０８に設定するパラメータ表である。
【００５０】
まず、Ａ表示モードから説明する。Ａ表示モードでは、表示部２０の全領域である水平１９２０画素、垂直１０８０画素全てを信号処理系統Ａの有効領域として使用する。表示領域設定部Ａ１０８へは、図６に示すように、水平オフセットと垂直オフセットは共に０を指定し、水平解像度と垂直解像度はそれぞれ１９２０画素と１０８０画素を指定する。表示領域設定部Ｂ２０８へは、図６に示すように、水平オフセット、垂直オフセット、水平解像度、垂直解像度に全て０を指定する。また、ＥＤＩＤ部Ａ１０５へは、図５に示すように、Ｍａｘ．Ｉｍａｇｅ  Ｓｉｚｅに１６：９となる適切なサイズを、Ｄｅｔａｉｌｅｄ  Ｔｉｍｉｎｇ  Ｄｅｓｃｒｉｐｔｏｒには表示領域設定部Ａ１０８に指定した解像度の公式信号フォーマットを指定する。ＥＤＩＤ部２０５への設定状態に関しては、Ａ表示モードとする前の状態を保持しても良いし、ＥＤＩＤ部Ａ１０５と同等の値を指定しても良い。
【００５１】
次に、Ｂ表示モードについて説明する。Ｂ表示モードでは、表示部２０の全領域である水平１９２０画素、垂直１０８０画素全てを信号処理系統Ｂの有効領域として使用する。詳細動作としては、Ａ表示モードの信号処理系統Ａに対する処理と信号処理系統Ｂに対する処理を入れ替えただけであるため説明は省略する。
【００５２】
最後に、分割表示モードについて説明する。分割表示モードでは、表示部２０の全領域である水平１９２０画素、垂直１０８０画素の左半分を信号処理系統Ａの有効領域として、右半分を信号処理系統Ｂの有効領域として使用する。表示領域設定部Ａ１０８へは、図６に示すように、水平オフセットと垂直オフセットは共に０を指定し、水平解像度と垂直解像度はそれぞれ９６０画素と１０８０画素を指定する。表示領域設定部Ｂ２０８へは、図６に示すように、水平オフセットと垂直オフセットはそれぞれ９６０と０を指定し、水平解像度と垂直解像度はそれぞれ９６０画素と１０８０画素を指定する。
【００５３】
また、ＥＤＩＤ部Ａ１０５及びＥＤＥＤ部Ｂ２０５へは、図５に示すように、Ａ表示モード及びＢ表示モードに対しそれぞれの表示領域に対応し、ＥＤＩＤ部Ａ１０５は右半分が、ＥＤＩＤ部Ｂ２０５は左半分をブランク領域とみなしパラメータ設定を行う。すなわち、ＥＤＩＤ部Ａ１０５では、もともとの水平解像度１９２０の半分の９６０を、Ｈｏｒｉｚｏｎｔａｌ  Ａｃｔｉｖｅからマイナスし、Ｈｏｒｉｚｏｎｔａｌ  ＢｌａｎｋｉｎｇとＨｏｒｉｚｏｎｔａｌ  Ｓｙｎｃ．  Ｏｆｆｓｅｔにプラスする。さらに、Ｈｏｒｉｚｏｎｔａｌ  Ｉｍａｇｅ  Ｓｉｚｅは半分に、Ｈｏｒｉｚｏｎｔａｌ  Ｐｏｌａｒｉｔｙは極性を反転させる。ＥＤＩＤ部Ｂ２０５においても、もともとの水平解像度１９２０の半分の９６０を、Ｈｏｒｉｚｏｎｔａｌ  Ａｃｔｉｖｅからマイナスし、Ｈｏｒｉｚｏｎｔａｌ  Ｂｌａｎｋｉｎｇにプラスする。さらに、ＥＤＩＤ部Ａ１０５同様に、Ｈｏｒｉｚｏｎｔａｌ  Ｉｍａｇｅ  Ｓｉｚｅは半分に、Ｈｏｒｉｚｏｎｔａｌ  Ｐｏｌａｒｉｔｙは極性を反転させる。
【００５４】
上記パラメータ変更は好ましい例であり、この通り変更しなくてはならないわけではない。特に、同期信号極性を変更している理由は、実施例１と同様で入力端子４がＤ−Ｓｕｂ１５ピンである場合を考慮したものであり、ＨＤＭＩやＤｉｓｐｌａｙＰｏｒｔであれば不要である。
【００５５】
以上のように分割表示モードでの各部の設定を行う事により、ＰＣＡ１２やＰＣＢ２２がＥＤＩＤの信号フォーマットに応じた映像出力を容易に行える装置であった場合、水平９６０画素、垂直１０８０画素の信号フォーマットで出力させられる事となる。
【００５６】
以上説明してきたように、本実施形態における液晶プロジェクタ装置１１は、表示領域変更部１９におけるモード変更の際に、ＥＤＩＤ部Ａ１０５及びＥＤＩＤ部Ｂ２０５のパラメータも表示領域に合わせて変更している。その結果、ＥＤＩＤの信号フォーマットに応じた映像信号出力を行うのが容易な装置と接続した場合の分割表示において、映像出力装置の出力解像度をそれぞれの分割表示領域全体に有効な映像を表示させる事も容易となる。つまりは、液晶プロジェクタ装置１１では、無用な解像度変換を適用させることや上下に無駄なブランク領域を付加させることなく、全画素を有効に映像表示させるという効果が得られる。
【００５７】
以上の事から、ユーザーにとっては、表示装置において分割表示をさせる場合に、それぞれの領域の解像度に整合した信号フォーマットを映像信号出力装置に出力させることの困難性が一部改善された事となる。
【００５８】
本実施例の表示装置は、液晶プロジェクタ装置１１としたが、ＤＬＰ（Ｄｉｇｉｔａｌ  Ｌｉｇｈｔ  Ｐｒｏｃｅｓｓｉｎｇ）プロジェクタや液晶ディスプレイ装置でもよい。
【００５９】
本実施例では、表示部２０の解像度を、水平１９２０画素、垂直１０８０画素としたが、それに制限されるものではない。また、分割表示モードを２画面かつ水平方向の均等分割としたが、画面数や分割方向に制限されるものではない。
【００６０】
以上、本発明の好ましい実施形態について説明したが、本発明はこれらの実施形態に限定されず、その要旨の範囲内で種々の変形及び変更が可能である。
【符号の説明】
【００６１】
１  液晶プロジェクタ装置（表示装置）、２  ＰＣ（映像信号出力装置）、
３  スクリーン、４  入力端子（映像入力手段、表示能力通知手段の一部）、
５  ＥＤＩＤ部（表示能力通知手段）、６  入力信号処理部（映像入力手段）、
７  解像度変換部（解像度変換手段）、８  表示領域設定部（表示領域設定手段）、
９  表示領域変更部（変更手段）、１０  表示部
【図１】
2017174025.tif 000003
【図２】
2017174025.tif 000004
【図３】
2017174025.tif 000005
【図４】
2017174025.tif 000006
【図５】
2017174025.tif 000007
【図６】
2017174025.tif 000008